(57)【要約】【課題】一枚の記録用紙に対して原稿画像のみの印刷を所望するユーザに対しても広告画像を提供することのできる画像形成装置を提供する。【解決手段】画像形成装置２２において、スキャナ部５５は、原稿画像データを取得し、画像形成部５８は、原稿画像データに基づく原稿画像を記録用紙に形成し、制御部５０は、ユーザによって広告サービスが指示されたか否かを判定するとともに、広告サービスが指示されたと判定した場合には、広告画像データを取得し、画像形成部５８、は広告画像データに基づく広告画像を、原稿画像が形成された記録用紙とは異なる記録用紙に形成し、排紙処理部５９は、原稿画像が形成された記録用紙と広告画像が形成された記録用紙とを連結材にて連結するようにする。【選択図】図２
2011207030.tif 000002
【特許請求の範囲】
【請求項１】
原稿画像データを取得する第１の取得手段と、
原稿画像データに基づく原稿画像を第１のシート体に形成する第１の出力手段と、
ユーザによって広告サービスが指示されたか否かを判定する判定手段と、
前記判定手段によって、広告サービスが指示されたと判定された場合に、広告画像データを取得する第２の取得手段と、
前記広告画像データに基づく広告画像を第２のシート体に形成する第２の出力手段と、
前記原稿画像が形成された第１のシート体と、前記広告画像が形成された第２のシート体とを連結材にて連結する連結手段と、を含む画像形成装置。
【請求項２】
前記連結手段は、前記第１のシート体が複数ある場合には、前記複数の第１のシート体を連続して重ねた状態とし、前記第２のシート体が複数ある場合には、前記複数の第２のシート体を連続して重ねた状態として、前記複数の第１のシート体と前記複数の第２のシート体とを全て前記連結材にて連結する、請求項１に記載の画像形成装置。
【請求項３】
前記連結材はステープル針であり、
前記連結手段は、前記第１のシート体と前記第２のシート体とを前記ステープル針で綴じることで連結する、請求項１又は請求項２に記載の画像形成装置。
【請求項４】
前記連結手段は、前記ステープル針の先端側に前記第２のシート体が位置するように、前記第１のシート体と前記第２のシート体とを前記ステープル針で綴じる、請求項３に記載の画像形成装置。
【請求項５】
前記連結材の使用が不可能になった場合に、前記第１のシート体と前記第２のシート体とを整合する整合手段をさらに含む、請求項１〜請求項４のいずれか１つに記載の画像形成装置。
【請求項６】
前記第２のシート体として、前記第１のシート体と同一サイズのシート体を選択する用紙選択手段をさらに含む、請求項１〜請求項５に記載の画像形成装置。
【請求項７】
前記連結材の使用が不可能になった場合に、前記第１のシート体のサイズと前記第２のシート体のサイズとを組合せたサイズ以上のシート体を第３のシート体として選択する用紙選択手段と、
前記第３のシート体に、前記原稿画像及び前記広告画像を並んだ状態で形成する第３の出力手段と、をさらに含む、請求項１〜請求項４のいずれか１つに記載の画像形成装置。
【発明の詳細な説明】
【技術分野】
【０００１】
本発明は画像形成装置に関し、特には、広告サービスを提供するための技術に関する。
【背景技術】
【０００２】
従来、画像形成装置のユーザに対し、コピーサービス及びプリントサービス等を無料又は正規の印刷料金から割引いて提供するために、ユーザが所望する原稿画像とともに広告画像を併せて印刷し、印刷料金を広告収入で賄う方法が知られている。以下、このような方法を利用するサービスを、広告サービスと記す。
【０００３】
例えば、後掲の特許文献１には、ある印刷データをシート状の印刷媒体に印刷する際に、その印刷データを印刷媒体の表面に印刷し、サーバから取得した広告データを裏面に印刷する印刷装置が開示されている。
【０００４】
また後掲の特許文献２には、原稿画像から読取った画像情報の余白領域を検出し、検出した余白領域の形状に最も近い形状の広告画像を広告管理サーバから取得し、取得した広告画像を読取った画像情報の余白領域に合成して印刷出力する画像形成装置が開示されている。
【先行技術文献】
【特許文献】
【０００５】
【特許文献１】特開２０００−３２６５８１号公報
【特許文献２】特開平８−２５６２５６号公報
【発明の概要】
【発明が解決しようとする課題】
【０００６】
特許文献１及び特許文献２に開示される技術は、一枚の記録用紙に対して原稿画像及び広告画像を記録するものである。したがって、一枚の記録用紙に対して原稿画像のみの印刷を所望するユーザは、正規の印刷料金を支払って、通常のコピーサービス又はプリントサービスを利用しなければならない。また、このようなユーザに対しては広告画像を提供できないため、充分な広告効果を得られないおそれがある。
【０００７】
本発明の目的は、一枚の記録用紙に対して原稿画像のみの印刷を所望するユーザに対しても広告画像を提供することのできる画像形成装置を提供することである。
【課題を解決するための手段】
【０００８】
本発明のある局面に係る画像形成装置は、原稿画像データを取得する第１の取得手段と、原稿画像データに基づく原稿画像を第１のシート体に形成する第１の出力手段と、ユーザによって広告サービスが指示されたか否かを判定する判定手段と、判定手段によって、広告サービスが指示されたと判定された場合に、広告画像データを取得する第２の取得手段と、広告画像データに基づく広告画像を第２のシート体に形成する第２の出力手段と、原稿画像が形成された第１のシート体と、広告画像が形成された第２のシート体とを連結材にて連結する連結手段と、を含む。
【０００９】
このように、原稿画像は第１のシート体に形成され、広告画像は第１のシート体とは異なる第２のシート体に形成されるので、一枚の記録用紙に対して原稿画像のみの印刷を所望するユーザに対しても広告画像を提供できる。したがって、ユーザの利便性が向上するとともに、充分な広告効果を得ることができる。さらに、第１のシート体と第２のシート体とが連結材にて連結されるので、ユーザによって、第１のシート体とともに第２のシート体を確実に取得してもらうことができる。したがって、ユーザによって第１のシート体のみが取得され、第２のシート体が放置されてしまうことを防ぐことができる。その結果、充分な広告効果を確実に得ることができる。
【００１０】
好ましくは、連結手段は、第１のシート体が複数ある場合には、複数の第１のシート体を連続して重ねた状態とし、第２のシート体が複数ある場合には、複数の第２のシート体を連続して重ねた状態として、複数の第１のシート体と複数の第２のシート体とを全て連結材にて連結する。
【００１１】
このように、複数の第１のシート体及び複数の第２のシート体がそれぞれ連続して重ねた状態で提供されるので、第１のシート体と第２のシート体とを分別する手間を省くことができる。したがって、ユーザの利便性がより一層向上する。
【００１２】
より好ましくは、連結材はステープル針であり、連結手段は、第１のシート体と第２のシート体とをステープル針で綴じることで連結する。
【００１３】
このように、第１のシート体と第２のシート体とが直ぐに取り外すことのできないステープル針で綴じられるので、ユーザによって、第１のシート体とともに第２のシート体をより一層確実に取得してもらうことができる。したがって、ユーザによって第１のシート体のみが取得され、第２のシート体が放置されてしまうことをより一層確実に防ぐことができる。その結果、充分な広告効果をさらに確実に得ることができる。
【００１４】
さらに好ましくは、連結手段は、ステープル針の先端側に第２のシート体が位置するように、第１のシート体と第２のシート体とをステープル針で綴じる。これによって、ユーザは、連結された第１のシート体及び第２のシート体から、ステープル針を緩めるという手作業によって第２のシート体のみを容易に取り外すことができるようになる。これによって、ユーザは、第１のシート体のみを得ることができる。したがって、ユーザの利便性がさらに向上する。
【００１５】
さらに好ましくは、画像形成装置は、連結材の使用が不可能になった場合に、第１のシート体と第２のシート体とを整合する整合手段をさらに含む。ここで、整合とは、重ねた状態できれいに揃えて整えることを言う。これによって、第１のシート体と第２のシート体とが連結されていない場合であっても、ユーザによって、第１のシート体とともに第２のシート体を取得してもらいやすくなる。したがって、ユーザによって第１のシート体のみが取得され、第２のシート体が放置されてしまうことを防ぐことができるので、充分な広告効果を得ることができる。
【００１６】
さらに好ましくは、画像形成装置は、第２のシート体として、第１のシート体と同一サイズのシート体を選択する用紙選択手段をさらに含む。このように、第１のシート体と第２のシート体とが同一のサイズであることによって、ユーザによって、第１のシート体とともに第２のシート体を取得してもらいやすくなる。したがって、ユーザによって第１のシート体のみが取得され、第２のシート体が放置されてしまうことをより一層確実に防ぐことができるので、充分な広告効果をさらに確実に得ることができる。
【００１７】
さらに好ましくは、画像形成装置は、連結材の使用が不可能になった場合に、第１のシート体のサイズと第２のシート体のサイズとを組合せたサイズ以上のシート体を第３のシート体として選択する用紙選択手段と、第３のシート体に、原稿画像及び広告画像を並んだ状態で形成する第３の出力手段と、をさらに含む。
【００１８】
このように、第１のシート体のサイズと第２のシート体のサイズとを組合せたサイズ以上の第３のシート体に、原稿画像及び広告画像が並んだ状態で形成されるので、ユーザによって、原稿画像とともに広告画像を確実に取得してもらうことができる。したがって、充分な広告効果を確実に得ることができる。また、ユーザは、原稿画像と広告画像とを切り離すという手作業によって、所望の原稿画像のみを容易に取得することができる。したがって、ユーザの利便性がさらに向上する。
【発明の効果】
【００１９】
本発明によれば、原稿画像は第１のシート体に形成され、広告画像は第１のシート体とは異なる第２のシート体に形成されるので、一枚の記録用紙に対して原稿画像のみの印刷を所望するユーザに対しても広告画像を提供できる。したがって、ユーザの利便性が向上するとともに、充分な広告効果を得ることができる。さらに、第１のシート体と第２のシート体とが連結材にて連結されるので、ユーザによって、第１のシート体とともに第２のシート体を確実に取得してもらうことができる。したがって、ユーザによって第１のシート体のみが取得され、第２のシート体が放置されてしまうことを防ぐことができる。その結果、充分な広告効果を確実に得ることができる。
【図面の簡単な説明】
【００２０】
【図１】本発明の一実施の形態に係る画像形成装置の斜視図である。
【図２】本発明の一実施の形態に係る画像形成装置の電気的構成を示すブロック図である。
【図３】本発明の一実施の形態に係る広告出力処理を実現するためのプログラム構造をフローチャート形式で示す図である。
【図４（Ａ）】作成された用紙束における、原稿画像が形成された記録用紙と広告画像が形成された記録用紙との並び順を説明するための図である。
【図４（Ｂ）】作成された用紙束を正面から見たときの状態を示す図である。
【図５】本発明の一実施の形態の第１の変形例に係る広告出力処理を実現するためのプログラム構造をフローチャート形式で示す図である。
【図６】排紙トレイに排出された複数の記録用紙が整合された状態を示す図である。
【図７】本発明の一実施の形態の第２の変形例に係る広告出力処理を実現するためのプログラム構造をフローチャート形式で示す図である。
【図８】原稿画像と広告画像とが並んで形成されたときの状態を示す図である。
【図９（Ａ）】作成された用紙束における、原稿画像が形成された記録用紙と広告画像が形成された記録用紙との並び順を説明するための図である。
【図９（Ｂ）】作成された用紙束を正面から見たときの状態を示す図である。
【図９（Ｃ）】作成された用紙束を背面から見たときの状態を示す図である。
【図１０（Ａ）】取り外された後の広告画像が形成された複数の記録用紙を示す図である。
【図１０（Ｂ）】原稿画像が形成された複数の記録用紙のみが連結された用紙束を示す図である。
【発明を実施するための形態】
【００２１】
以下の説明及び図面においては、同一の部品には同一の参照符号及び名称を付してある。それらの機能も同様である。したがって、それらについての詳細な説明は繰返さない。
【００２２】
［画像形成装置２２］
図１及び図２を参照して、画像形成装置２２は、コピー機能、スキャナ機能、ファクシミリ（ＦＡＸ）機能、及び、プリンタ機能等を備えるＭＦＰ（Ｍｕｌｔｉｆｕｎｃｔｉｏｎ  Ｐｒｉｎｔｅｒ）である。本実施の形態において、画像形成装置２２は、ユーザに対し、コピーサービス、スキャナサービス、ＦＡＸサービス、及び、プリンタサービスを有料で提供する。上記したコピーサービスは、通常のコピーサービスと、広告サービスとを含む。
【００２３】
画像形成装置２２は、制御部５０、ＨＤＤ（Ｈａｒｄ  Ｄｉｓｋ  Ｄｒｉｖｅ）５２、操作部５４、スキャナ部５５、画像処理部５６、画像メモリ５７、画像形成部５８、排紙処理部５９、回線制御部６０、モデム６２、ＣＩ（Ｃａｌｌｉｎｇ  Ｉｎｄｉｃａｔｏｒ）検出部６４、及び、ＬＡＮ（Ｌｏｃａｌ  Ａｒｅａ  Ｎｅｔｗｏｒｋ）インターフェイス（ＬＡＮ  Ｉ／Ｆ）６６を含む。
【００２４】
制御部５０は、実質的にコンピュータであって、ＣＰＵ（Ｃｅｎｔｒａｌ  Ｐｒｏｃｅｓｓｉｎｇ  Ｕｎｉｔ）７０、ＲＯＭ（Ｒｅａｄ−Ｏｎｌｙ  Ｍｅｍｏｒｙ）７２、及び、ＲＡＭ（Ｒａｎｄｏｍ  Ａｃｃｅｓｓ  Ｍｅｍｏｒｙ）７４を含む。ＣＰＵ７０には、バスライン７６が接続されており、このバスライン７６には、ＲＯＭ７２及びＲＡＭ７４が電気的に接続される。ＣＰＵ７０は、操作部５４等からの指示に応じて各種コンピュータプログラムを実行することによって、画像形成装置２２の各構成部の動作及び外部装置との通信等の所望の処理を実行する。上記の各種コンピュータプログラムは、予めＲＯＭ７２又はＨＤＤ５２に記憶されており、所望の処理の実行時において、当該ＲＯＭ７２又はＨＤＤ５２から読出されてＲＡＭ７４に転送される。ＣＰＵ７０は、ＣＰＵ７０内の図示しないプログラムカウンタと呼ばれるレジスタに格納された値によって指定される、ＲＡＭ７４内のアドレスからプログラムの命令を読出し、解釈する。ＣＰＵ７０はまた、読出された命令によって指定されるアドレスから演算に必要なデータを読出し、そのデータに対し命令に対応する演算を実行する。実行の結果も、ＲＡＭ７４、ＨＤＤ５２及びＣＰＵ７０内のレジスタ等の、命令によって指定されるアドレスに格納される。
【００２５】
バスライン７６には、さらに、ＨＤＤ５２、操作部５４、スキャナ部５５、画像
処理部５６、画像メモリ５７、画像形成部５８、排紙処理部５９、回線制御部６０、モデム６２、ＣＩ検出部６４、及び、ＬＡＮ  Ｉ／Ｆ６６が電気的に接続される。
【００２６】
ＨＤＤ５２は、磁気記憶媒体を含み、各種コンピュータプログラム、各種設定値及び画像データ等を格納する記憶領域を提供する。
【００２７】
ＨＤＤ５２は、ユーザ登録情報を記憶する。このユーザ登録情報には、ユーザを特定するためのユーザ情報と、ユーザの住所、性別、年齢、及びユーザが興味を持つジャンル（以下「興味ジャンル」と記す場合がある。）等を含むユーザ関連情報とが、それぞれ関連付けて記憶される。このユーザ登録情報は、操作部５４に対するユーザの入力操作によって予め登録されるものとする。上記したユーザ情報としては、ユーザを特定可能なものであれば特に限定されないが、例えば、ユーザ毎に個別に割当てられるユーザＩＤ、及び、パスワード等がある。
【００２８】
本実施の形態において、ＨＤＤ５２には、画像形成装置２２の一般的な動作を実現するためのコンピュータプログラムとともに、後述する広告出力処理を実現するためのコンピュータプログラムが記憶される。このコンピュータプログラムは、ＬＡＮ  Ｉ／Ｆ６６を介して外部装置から提供される。なお、このコンピュータプログラムは、そのコンピュータプログラムが記録された、例えばＤＶＤ（Ｄｉｇｉｔａｌ  Ｖｅｒｓａｔｉｌｅ  Ｄｉｓｃ）等の記録媒体によって提供されてもよい。すなわち、コンピュータプログラムの記録媒体としてのＤＶＤが、画像形成装置２２内に内蔵されるＤＶＤドライブ（図示せず。）に装着され、そのＤＶＤからコンピュータプログラムが読出されてＨＤＤ５２にインストールされてもよい。このコンピュータプログラムにおける、広告出力処理を実現するためのプログラム構造については後述する。
【００２９】
操作部５４は、画像形成装置２２の上部であって、スキャナ部５５近傍に設けられる。操作部５４は、各種ハードキーを備える操作パネル７８を含む。上記した各種ハードキーは、通信相手先のファクシミリ番号及びコピー枚数等の設定値等を入力するためのテンキー、電源オン及び電源オフを指示するための電源キー、並びに、印刷開始を指示するための印刷スタートキー等を含む。操作部５４はさらに、液晶ディスプレイ（ＬＣＤ（Ｌｉｑｕｉｄ  Ｃｒｙｓｔａｌ  Ｄｉｓｐｌａｙ））とタッチパネルとを重ねて構成される表示パネル８０を含む。表示パネル８０は、ユーザに対して対話的な操作インターフェイスを提供する。操作部５４は、操作パネル７８の各種ハードキー又は表示パネル８０のタッチパネルから画像形成装置２２全体の動作に対するユーザの指示を受付けて、その指示の内容を表示パネル８０のＬＣＤに表示するとともに、その指示に応じた制御信号を制御部５０又は画像処理部５６のＭＰＵ（Ｍｉｃｒｏ  Ｐｒｏｃｅｓｓｉｎｇ  Ｕｎｉｔ、図示せず）に対して出力する。
【００３０】
本実施の形態において、表示パネル８０のタッチパネルに対するユーザの入力操作によってコピーモードが設定されると、表示パネル８０には、コピーモード設定画面（図示せず。）が表示される。このコピーモード設定画面は、指定倍率及び指定用紙サイズ等を設定するための各種設定ボタンとともに、通常のコピーサービスを選択するための通常コピーボタン、及び、広告サービスを選択するための広告ボタンを含む。広告サービスを所望するユーザは、各種設定ボタンにて印刷条件に関する各種設定を行なうとともに広告ボタンを選択した後に、印刷スタートキーを押下することによって、広告サービスを利用することができる。同様に、通常のコピーサービスを所望するユーザは、各種設定ボタンにて印刷条件に関する各種設定を行なうとともに通常コピーボタンを選択した後に、印刷スタートキーを押下することによって、通常のコピーサービスを利用することができる。
【００３１】
コピーモード設定画面はさらに、ユーザ情報を入力するためのテキストボックスを含む。広告サービスを所望するユーザは、上記操作にて印刷スタートキーを押下する前に、このテキストボックスに対してユーザ情報を入力することによって、ユーザに適した広告画像を取得することができる。
【００３２】
スキャナ部５５は、画像形成装置２２の上部に設けられる原稿載置台８２と、原稿載置台８２に対して開閉可能に取り付けられる自動原稿搬送装置（以下「ＡＤＦ（Ａｕｔｏｍａｔｉｃ  Ｄｏｃｕｍｅｎｔ  Ｆｅｅｄｅｒ）」と記す。）８４と、原稿載置台８２の下方に設けられる原稿読取部８６とを含む。原稿載置台８２は、原稿を載置するための、透明ガラスからなる板状部材である。ＡＤＦ８４は、原稿載置台８２上に自動で原稿を搬送する装置である。ユーザは、ＡＤＦ８４を開放することによって、手動で原稿を原稿載置台８２に載置することができる。
【００３３】
原稿読取部８６は、光源を含む原稿走査ユニット、反射ミラー、光学レンズ及びＣＣＤ（Ｃｈａｒｇｅ−Ｃｏｕｐｌｅｄ  Ｄｅｖｉｃｅ）ラインセンサ（以上いずれも図示せず。）を含む。原稿走査ユニットは、ユーザによって手動で、又は、ＡＤＦ８４によって、原稿載置台８２に載置された原稿の画像表面に対し光源から光を照射することによって反射光像を得る。反射ミラー及び光学レンズは、得られる反射光像をＣＣＤラインセンサ上に結像させる。ＣＣＤラインセンサは、結像された反射光像を順次光電変換して原稿画像データとして画像処理部５６に対して出力する。
【００３４】
画像処理部５６は、ＭＰＵ（図示せず。）を含む。画像処理部５６は、原稿読取部８６から入力される原稿画像データに対して、例えば、色補正処理等の所定の画像処理を施して所定の階調の原稿画像データを作成し、画像メモリ５７に対して出力する。
【００３５】
画像メモリ５７は、ＲＡＭを含み、画像処理部５６から入力される原稿画像データ、及び、ＬＡＮ  Ｉ／Ｆ６６を介して広告サーバ９９から入力される広告画像データ等の画像データをページ単位で一時的に記憶する。画像メモリ５７に一時的に記憶された画像データは、制御部５０からの指示に応じて、各転送先に転送される。すなわち、印刷を行なう場合には画像形成部５８に転送され、外部装置に送信する場合にはＬＡＮ  Ｉ／Ｆ６６に転送され、ファクシミリ送信を行なう場合には回線制御部６０に転送される。
【００３６】
画像形成部５８は、スキャナ部５５の下方に設けられる。画像形成部５８は、感光体ドラム、帯電器、ＬＳＵ（Ｌａｓｅｒ  Ｓｃａｎｎｉｎｇ  Ｕｎｉｔ）、現像装置、転写装置、クリーニング装置及び定着装置、並びに、画像形成装置２２に着脱自在に装着されるトナーカートリッジ（以上いずれも図示せず。）を含む。画像形成部５８はさらに、画像形成装置２２に着脱自在に装着される、手差し給紙トレイ９２、第１給紙トレイ９４及び第２給紙トレイ９６を含む。これらの給紙トレイは、この順で上下に並ぶように設置され、記録用紙を保持し、用紙搬送部（図示せず。）に記録用紙を送給する。手差し給紙トレイ９２は、ユーザが手動により所望の記録用紙を設置するためのトレイであり、第１給紙トレイ９４及び第２給紙トレイ９６は、それぞれ異なる大きさの記録用紙を保持するトレイである。画像形成部５８は、制御部５０等からの指示に応じて上記給紙トレイのいずれかから用紙搬送部を介して搬送される記録用紙上に、画像メモリ５７から送信される画像データに基づく画像を形成する。
【００３７】
上述のようにして画像が形成された記録用紙は、排紙トレイ９７に排出されるか、又は、排紙処理部５９の各排紙トレイ９８のいずれかに排出される。
【００３８】
排紙処理部５９は、複数部の印刷物を作成する場合に、各排紙トレイ９８に印刷物の一部ずつが割り当てられるように、記録用紙を各排紙トレイ９８に仕分けして排出する仕分け機構を含む。排紙処理部５９はさらに、排紙トレイ９８上の記録用紙にパンチング処理を施すパンチング機構、排紙トレイ９８上の記録用紙を重ねた状態できれいに揃えて整えるための整合機構、及び、排紙トレイ９８上の記録用紙にステープル処理を施すステープル機構を含む。
【００３９】
このステープル機構は、ヘッド部及びアンビル部を含む。ヘッド部は、針状のステープル（以下、「ステープル針」と記す。）をコの字状に折り曲げて打出し、排紙トレイ９８上の記録用紙に圧入する。アンビル部は、ヘッド部から打ち出されたステープル針の先端を受けて折り曲げる。このようにして、排紙トレイ９８上の記録用紙がステープル針にて綴じられ、用紙束が作成される。ステープル機構は、記録用紙の幅方向に沿って往復移動可能に構成されている。ステープル機構は、記録用紙のサイズ及びユーザによって指定された位置等に基づいて決定されたステープル位置に移動し、ステープル処理を行なう。
【００４０】
回線制御部６０は、アナログ回線である公衆電話回線網３０とインターフェイスをとるハードウェア回路である。公衆電話回線網３０には、画像形成装置２２とのファクシミリ通信が可能なファクシミリ装置等の複数の外部装置が接続されている。回線制御部６０は、制御部５０からの指示に応じて、公衆電話回線網３０の閉結及び開放を制御する回線制御を行なうとともに、必要に応じてモデム６２と公衆電話回線網３０とを接続する。回線制御部６０はさらに、公衆電話回線網３０に接続される通信相手先の外部装置を呼出すために、通信相手先のファクシミリ番号に応じたダイヤル信号を通信相手に対して送出する。
【００４１】
モデム６２は、ファクシミリ通信が可能なファクシミリモデムを含み、回線制御部６０を介して公衆電話回線網３０と接続される。モデム６２は、通信相手に対して送信するためのデジタルデータをアナログデータに変換して回線制御部６０を介して公衆電話回線網３０に送出する。モデム６２はさらに、通信相手から回線制御部６０を介して受信したアナログデータをデジタルデータに変換して復調する。復調された画像データは、符号化／復号化部（図示せず。）によって復号化された後、画像メモリ５７に対して出力される。
【００４２】
ＣＩ検出部６４は、公衆電話回線網３０に接続される外部装置からの呼出信号（ＣＩ信号）を検出し、その検出結果を制御部５０に通知する。制御部５０は、ＣＩ信号を所定時間検出したと判断すると、モデム６２を通じて公衆電話回線網３０を捕捉するために、回線制御部６０に対し、公衆電話回線網３０を閉結するように指示する。公衆電話回線網３０が捕捉されると、モデム６２によってファクシミリ通信が行なわれる。
【００４３】
ＬＡＮ  Ｉ／Ｆ６６は、ＬＡＮ回線２０とインターフェイスをとる。ＬＡＮ回線２０には、画像形成装置２２とのデータ通信が可能なパーソナルコンピュータ等の複数の外部装置、及び、広告サーバ９９が接続されている。
【００４４】
広告サーバ９９は、画像形成装置２２に提供するための少なくとも１つの広告画像データを記憶する広告画像データベース（以下「広告画像ＤＢ」と記す。）を含む。上記した広告画像データは、広告依頼主によって広告画像ＤＢに予め登録され、広告依頼主毎に管理されている。また、広告画像ＤＢに記憶される広告画像データは、例えば、音楽、小説、及び自動車等のジャンル毎に分類されている。本実施の形態においては、広告サービスが利用される毎に、広告データの使用回数が広告依頼主毎にカウントされ、広告依頼主は、カウント値に基づいて画像形成装置２２の管理者に対して広告料金を支払うものとする。
【００４５】
広告サーバ９９は、画像形成装置２２から広告画像データの要求を受けると、広告画像ＤＢの中から出力対象の広告画像データを選択し、選択した広告画像データを画像形成装置２２に対して送信する。
【００４６】
画像形成装置２２の各構成部には電源（図示せず）が接続され、この電源から電力が供給されることで、画像形成装置２２の各構成部の動作が実現される。
【００４７】
画像形成装置２２は、上述した各構成部を動作させることによって、操作部５４に対するユーザの入力操作による指示に応じて、原稿画像を読取り記録用紙に印刷するコピーモード、外部装置等から送信される画像データを受信して記録用紙に印刷するプリンタモード、原稿画像を読取り外部装置等に送信するスキャナモード、及び、外部装置であるファクシミリ装置とファクシミリ通信を行なうＦＡＸモード等の各種のモードのいずれかを実行する。
【００４８】
〈ソフトウェア構成〉  
（広告出力処理）  
図３を参照して、広告出力処理を実現するためのプログラムは、表示パネル８０に表示されるコピーモード設定画面において広告ボタンが選択された状態で、印刷スタートキーが押下されることによって、起動される。
【００４９】
このプログラムは、スキャナ部５５に対し、原稿載置台８２に載置される原稿の画像を原稿画像データとして読取らせるステップ（以下、単に「Ｓ」と記す。）１０１を含む。Ｓ１０１にて読取られた原稿画像データは、画像処理部５６にて所定の画像処理が施された後、画像メモリ５７に記憶される。
【００５０】
このプログラムはさらに、ユーザ情報が入力されたか否かを判定するＳ１０２と、Ｓ１０２にてユーザ情報が入力されたと判定された場合（ＹＥＳの場合）に実行され、ＨＤＤ５２に記憶されるユーザ登録情報から、入力されたユーザ情報に対応するユーザ関連情報を取得するＳ１０３と、Ｓ１０３の処理後、又は、Ｓ１０２にてユーザ情報が入力されていないと判定された場合（ＮＯの場合）に実行され、広告サーバ９９に対し、広告画像データを要求するＳ１０４と、を含む。なお、Ｓ１０４がＳ１０３の処理後に実行される場合には、広告サーバ９９に対し、広告画像データの要求とともに、ユーザ関連情報が送信される。
【００５１】
このプログラムはさらに、広告画像データを広告サーバ９９から受信するまで待機するＳ１０５と、Ｓ１０５にて広告画像データを受信したと判定された場合（ＹＥＳの場合）に実行され、画像形成部５８に対し、スキャナ部５５にて読取られた原稿画像データに基づく原稿画像、及び、受信した広告画像データに基づく広告画像を異なる記録用紙にそれぞれ形成させるＳ１０６と、を含む。なお、広告サーバ９９から受信した広告画像データは、一旦画像メモリ５７に記憶された後、画像形成部５８に送信される。Ｓ１０６にて原稿画像が形成された記録用紙及び広告画像が形成された記録用紙は、印刷された順に排紙処理部５９の排紙トレイ９８に導かれる。
【００５２】
このプログラムはさらに、排紙処理部５９のステープル機構に対し、排紙トレイ９８に排出された、原稿画像が形成された記録用紙及び広告画像が形成された記録用紙に対してステープル処理を施させるＳ１０７を含む。
【００５３】
［動作］  
図１〜図３を参照して、画像形成装置２２は、以下のように動作する。なお、以下の動作を除く画像形成装置２２の一般的な動作は、従来の画像形成装置の動作と同じである。
【００５４】
ユーザは、画像形成装置２２の電源を投入し、表示パネル８０のタッチパネルに対する入力操作によってコピーモードを設定する。コピーモードが設定されると、表示パネル８０には、コピーモード設定画面（図示せず。）が表示される。ユーザは、ＡＤＦ８４にＡ４サイズの原稿を３枚セットし、コピーモード設定画面の各種設定ボタンにて印刷条件に関する各種設定を行なった後、広告ボタンを選択する。ユーザはさらに、テキストボックスに対してユーザ情報を入力する。ユーザ情報の入力後、ユーザは印刷スタートキーを押下する。
【００５５】
印刷スタートキーが押下されると、原稿がＡＤＦ８４によって搬送され、原稿載置台８２に載置される。スキャナ部５５は、原稿の画像を原稿画像データとして順次読取る（Ｓ１０１）。読取られた原稿画像データは、画像処理部５６にて所定の画像処理が施された後、画像メモリ５７に記憶される。
【００５６】
原稿画像の読取り後、制御部５０は、ユーザ情報が入力されたと判定し（Ｓ１０２にてＹＥＳ）、ＨＤＤ５２に記憶されるユーザ登録情報から、入力されたユーザ情報に対応するユーザ関連情報を取得する（Ｓ１０３）。ユーザ関連情報の取得後、制御部５０は、広告サーバ９９に対し、広告画像データを要求するとともに、ユーザ関連情報を送信する（Ｓ１０４）。
【００５７】
広告画像データの要求を受けると、広告サーバ９９は、受信したユーザ関連情報に基づいて、広告画像ＤＢの中から出力対象の広告画像データを選択する。この場合の広告画像データの選択方法としては、特に限定されないが、例えば、ユーザ関連情報の内容を解析してキーワードを抽出し、抽出したキーワードを含む広告画像データを選択する方法、及び、ユーザ関連情報内の興味ジャンルに基づいて、そのジャンルに適合する広告画像データを選択する方法等がある。本実施の形態では、記録用紙１枚分の原稿画像データに対して、同一サイズの記録用紙１枚分の広告画像データが選択されるものとする。したがって、この場合にはＡ４サイズの記録用紙３枚分の広告画像データが選択される。
【００５８】
なお、ユーザによってユーザ情報が入力されず（Ｓ１０２にてＮＯ）、Ｓ１０４にて広告サーバ９９に対してユーザ関連情報が送信されない場合には、広告サーバ９９は、広告画像ＤＢの中から出力対象の広告画像データをランダムに選択する。
【００５９】
広告画像データの選択後、広告サーバ９９は、画像形成装置２２に対し、選択した広告画像データを送信する。
【００６０】
広告サーバ９９から広告画像データを受信すると（Ｓ１０５にてＹＥＳ）、画像形成部５８は、スキャナ部５５にて読取られ、画像メモリ５７に記憶される原稿画像データに基づく原稿画像、及び、広告サーバ９９から受信し、画像メモリ５７に記憶される広告画像データに基づく広告画像を、異なる記録用紙にそれぞれ形成する（Ｓ１０６）。本実施の形態において、画像形成部５８は、原稿画像及び広告画像を異なる記録用紙に対して交互に形成するものとする。また、制御部５０は、広告画像を形成する記録用紙として、原稿画像が記録される記録用紙と同一サイズのものを選択し、選択したサイズの記録用紙を保持する給紙トレイから記録用紙を用紙搬送部に対して送給させるものとする。
【００６１】
原稿画像が形成された記録用紙及び広告画像が形成された記録用紙は、排紙処理部５９の排紙トレイ９８に対し、印刷された順に排出される。排出された記録用紙は、排紙処理部５９の整合機構によって、きれいに揃えられた状態にされる。その後、排紙処理部５９のステープル機構は、排紙トレイ９８に排出された複数の記録用紙に対してステープル処理を施す（Ｓ１０７）。このようにして、図４に示す用紙束４００が作成される。
【００６２】
図４（Ａ）を参照して、作成された用紙束４００は、原稿画像が形成された記録用紙４０２と広告画像が形成された記録用紙４０４とが交互に並んだ状態である。図４（Ｂ）を参照して、原稿画像が形成された記録用紙４０２及び広告画像が形成された記録用紙４０４は、記録用紙の一隅にてステープル針４０６にて綴じられている。
【００６３】
［第１の変形例］  
画像形成装置２２の第１の変形例は、上記した広告出力処理が異なる点で、上記した実施の形態に係る画像形成装置２２と異なる。以下、画像形成装置２２と異なる点のみについて説明する。
【００６４】
〈ソフトウェア構成〉  
（広告出力処理）  
図５を参照して、本変形例に係る広告出力処理を実現するためのプログラムにおいて、Ｓ２０１〜Ｓ２０６の処理は、図３に示すＳ１０１〜Ｓ１０６の処理と同じである。
【００６５】
このプログラムはさらに、ステープル針があるか否かを判定するＳ２０７と、Ｓ２０７にてステープル針があると判定された場合（ＹＥＳの場合）に実行され、排紙処理部５９のステープル機構に対し、排紙トレイ９８に排出された原稿画像が形成された記録用紙及び広告画像が形成された記録用紙に対してステープル処理を施させるＳ２０８と、を含む。Ｓ２０７にてステープル針がないと判定された場合（ＮＯの場合）、すなわちステープル針が切れている場合には、本制御は終了する。
【００６６】
［動作］  
図５を参照して、画像形成装置２２の第１の変形例は、以下のように動作する。なお、以下の動作を除く画像形成装置２２の第１の変形例の動作は、上記実施の形態における画像形成装置２２の動作と同じである。
【００６７】
上記実施の形態の画像形成装置２２の動作と同様にして原稿画像が形成された記録用紙及び広告画像が形成された記録用紙は、排紙処理部５９の排紙トレイ９８に対し、印刷された順に排出される。排出された記録用紙は、排紙処理部５９の整合機構によって、きれいに揃えられた状態にされる。その後、制御部５０は、ステープル針があるか否かを判定する（Ｓ２０７）。
【００６８】
制御部５０によって、ステープル針があると判定された場合（Ｓ２０７にてＹＥＳ）には、排紙処理部５９のステープル機構は、排紙トレイ９８に排出された複数の記録用紙に対してステープル処理を施す（Ｓ２０８）。
【００６９】
一方、制御部５０によって、ステープル針がないと判定された場合（Ｓ２０７にてＮＯ）には、排紙処理部５９のステープル機構は、排紙トレイ９８に排出された複数の記録用紙に対してステープル処理を施さない。したがって、図６に示すように、排紙トレイ９８に排出された複数の記録用紙、すなわち、原稿画像が形成された３枚の記録用紙４０２及び広告画像が形成された３枚の記録用紙４０４は、排紙処理部５９の整合機構によって、きれいに揃えられた状態で、ユーザに対して提供される。
【００７０】
［第２の変形例］  
画像形成装置２２の第２の変形例は、上記した広告出力処理が異なる点で、上記した実施の形態に係る画像形成装置２２と異なる。以下、画像形成装置２２と異なる点のみについて説明する。
【００７１】
〈ソフトウェア構成〉  
（広告出力処理）  
図７を参照して、本変形例に係る広告出力処理を実現するためのプログラムにおいて、Ｓ３０１〜Ｓ３０５の処理は、図３に示すＳ１０１〜Ｓ１０５の処理と同じである。
【００７２】
このプログラムはさらに、Ｓ３０５にて広告画像データを受信したと判定された場合（ＹＥＳの場合）に実行され、ステープル針があるか否かを判定するＳ３０６と、Ｓ３０６にてステープル針があると判定された場合（ＹＥＳの場合）に実行され、画像形成部５８に対し、スキャナ部５５にて読取られた原稿画像データに基づく原稿画像、及び、受信した広告画像データに基づく広告画像を異なる記録用紙にそれぞれ形成させるＳ３０７と、を含む。Ｓ３０７にて原稿画像が形成された記録用紙及び広告画像が形成された記録用紙は、印刷された順に排紙処理部５９の排紙トレイ９８に導かれる。
【００７３】
このプログラムはさらに、排紙処理部５９のステープル機構に対し、排紙トレイ９８に排出された、原稿画像が形成された記録用紙及び広告画像が形成された記録用紙に対してステープル処理を施させるＳ３０８を含む。
【００７４】
このプログラムはさらに、Ｓ３０６にてステープル針がないと判定された場合（ＮＯの場合）に実行され、出力対象の記録用紙のサイズを、原稿画像のサイズの２倍の大きさのサイズに変更するＳ３０９を含む。すなわち、Ｓ３０９では、例えば、原稿画像のサイズがＡ４サイズであれば、出力対象の記録用紙はＡ４サイズからＡ３サイズに変更され、原稿画像のサイズがＢ５サイズであれば、出力対象の記録用紙はＢ５サイズからＢ４サイズに変更される。
【００７５】
このプログラムはさらに、画像形成部５８に対し、スキャナ部５５にて読取られた原稿画像データに基づく原稿画像、及び、受信した広告画像データに基づく広告画像を変更後のサイズの記録用紙に並べて形成させるＳ３１０を含む。
【００７６】
［動作］  
図７を参照して、画像形成装置２２の第２の変形例は、以下のように動作する。なお、以下の動作を除く画像形成装置２２の第２の変形例の動作は、上記実施の形態における画像形成装置２２の動作と同じである。
【００７７】
上記実施の形態の画像形成装置２２の動作と同様にして、制御部５０は、広告サーバ９９から広告画像データを受信すると（Ｓ３０５にてＹＥＳ）、ステープル針があるか否かを判定する（Ｓ３０６）。制御部５０によって、ステープル針があると判定されると（Ｓ３０６にてＹＥＳ）、画像形成部５８は、スキャナ部５５にて読取られ、画像メモリ５７に記憶される原稿画像データに基づく原稿画像、及び、広告サーバ９９から受信し、画像メモリ５７に記憶される広告画像データに基づく広告画像を、異なる記録用紙にそれぞれ形成する（Ｓ３０７）。
【００７８】
原稿画像が形成された記録用紙及び広告画像が形成された記録用紙は、排紙処理部５９の排紙トレイ９８に対し、印刷された順に排出される。排出された記録用紙は、排紙処理部５９の整合機構によって、きれいに揃えられた状態にされる。その後、排紙処理部５９のステープル機構は、排紙トレイ９８に排出された複数の記録用紙に対してステープル処理を施す（Ｓ３０８）。
【００７９】
一方、制御部５０によって、ステープル針がないと判定されると（Ｓ３０６にてＮＯ）、制御部５０は、出力対象の記録用紙のサイズを、原稿画像のサイズの２倍の大きさのサイズに変更する（Ｓ３０９）。本実施の形態では、原稿画像のサイズがＡ４サイズであるので、出力対象の記録用紙はＡ４サイズからＡ３サイズに変更される。制御部５０は、変更したサイズの記録用紙を保持する給紙トレイから記録用紙を用紙搬送部に対して送給させる。
【００８０】
サイズ変更後、画像形成部５８は、スキャナ部５５にて読取られ、画像メモリ５７に記憶される原稿画像データに基づく原稿画像、及び、広告サーバ９９から受信し、画像メモリ５７に記憶される広告画像データに基づく広告画像を、変更後のサイズの記録用紙に並べて形成する（Ｓ３１０）。すなわち、図８に示すように、Ａ４サイズの原稿画像８０２とＡ４サイズの広告画像８０４とが、Ａ３サイズの記録用紙８０６に並んで形成される。図８では、Ａ３サイズの記録用紙８０６を１枚のみ示すが、本実施の形態では、３枚分の記録用紙８０６に対して原稿画像８０２及び広告画像８０４がそれぞれ形成される。
【００８１】
［第３の変形例］
画像形成装置２２の第３の変形例は、原稿画像及び広告画像の印刷される順序が異なる点で、上記した実施の形態に係る画像形成装置２２と異なる。以下、画像形成装置２２と異なる点のみについて説明する。
【００８２】
上記実施の形態において、画像形成部５８は、原稿画像及び広告画像を異なる記録用紙に対して交互に形成したが、本変形例において、画像形成部５８は、全ての原稿画像を記録用紙に形成した後、全ての広告画像を記録用紙に形成する。この場合には、図９に示す用紙束９００が作成される。
【００８３】
図９（Ａ）を参照して、作成された用紙束９００において、原稿画像が形成された複数の記録用紙４０２は連続して重ねられた状態であり、広告画像が形成された複数の記録用紙４０４は連続して重ねられた状態である。
【００８４】
また図９（Ｂ）に示すように、原稿画像が形成された複数の記録用紙４０２はステープル針４０６が打込まれる側に配置され、図９（Ｃ）に示すように、広告画像が形成された複数の記録用紙４０４は、ステープル針４０６の先端側に位置するように配置される。このようにして、原稿画像が形成された記録用紙４０２及び広告画像が形成された記録用紙４０４は、記録用紙の一隅にてステープル針４０６にて綴じられる。
【００８５】
このように、本変形例では、広告画像が形成された複数の記録用紙４０４は、ステープル針４０６の先端側に位置するように配置される。これによって、図１０（Ａ）に示すように、ユーザは、ステープル針４０６を緩めるという手作業によって、連結された複数の記録用紙４０２及び複数の記録用紙４０４から、広告画像が形成された複数の記録用紙４０４のみを取り外すことができる。さらに、図１０（Ｂ）に示すように、原稿画像が形成された複数の記録用紙４０２のみが連結された用紙束１０００を得ることができる。
【００８６】
〈作用・効果〉  
上記実施の形態によれば、画像形成装置２２において、スキャナ部５５は、原稿画像データを取得し、画像形成部５８は、原稿画像データに基づく原稿画像を記録用紙に形成し、制御部５０は、ユーザによって広告サービスが指示されたか否かを判定するとともに、広告サービスが指示されたと判定した場合には、広告画像データを取得し、画像形成部５８は、広告画像データに基づく広告画像を、原稿画像が形成された記録用紙とは異なる記録用紙に形成し、排紙処理部５９は、原稿画像が形成された記録用紙と広告画像が形成された記録用紙とを連結材にて連結する。
【００８７】
このように、原稿画像は記録用紙に形成され、広告画像は、原稿画像が形成された記録用紙とは異なる記録用紙に形成されるので、一枚の記録用紙に対して原稿画像のみの印刷を所望するユーザに対しても広告画像を提供できる。したがって、ユーザの利便性が向上するとともに、充分な広告効果を得ることができる。さらに、原稿画像が形成された記録用紙と広告画像が形成された記録用紙とが連結材にて連結されるので、ユーザによって、原稿画像が形成された記録用紙とともに広告画像が形成された記録用紙を確実に取得してもらうことができる。したがって、ユーザによって原稿画像が形成された記録用紙のみが取得され、広告画像が形成された記録用紙が放置されてしまうことを防ぐことができる。その結果、充分な広告効果を確実に得ることができる。
【００８８】
また上記実施の形態によれば、連結材はステープル針であり、排紙処理部５９は、原稿画像が形成された記録用紙と、広告画像が形成された記録用紙とをステープル針で綴じることで連結する。このように、原稿画像が形成された記録用紙と広告画像が形成された記録用紙とが直ぐに取り外すことのできないステープル針で綴じられるので、ユーザによって、原稿画像が形成された記録用紙とともに広告画像が形成された記録用紙をより一層確実に取得してもらうことができる。したがって、ユーザによって原稿画像が形成された記録用紙のみが取得され、広告画像が形成された記録用紙が放置されてしまうことをより一層確実に防ぐことができる。その結果、充分な広告効果をさらに確実に得ることができる。なお、連結材はステープル針に限定されない。連結材は、原稿画像が形成された記録用紙と、広告画像が形成された記録用紙とを連結可能なものであれば特に限定されず、例えば、クリップ又は接着剤等であってもよい。
【００８９】
また上記実施の形態によれば、制御部５０は、広告画像が形成される記録用紙として、原稿画像が形成される記録用紙と同一サイズの記録用紙を選択する。このように、原稿画像が形成される記録用紙と広告画像が形成される記録用紙とが同一のサイズであることによって、ユーザによって、原稿画像が形成された記録用紙とともに広告画像が形成された記録用紙を取得してもらいやすくなる。したがって、ユーザによって原稿画像が形成された記録用紙のみが取得され、広告画像が形成された記録用紙が放置されてしまうことをより一層確実に防ぐことができるので、充分な広告効果をさらに確実に得ることができる。
【００９０】
また上記実施の形態によれば、記録用紙１枚分の原稿画像データに対して、同一サイズの記録用紙１枚分の広告画像データが選択されたが、本発明はそのような実施の形態に限定されない。例えば、記録用紙１枚分の原稿画像データに対して、同一サイズの記録用紙複数枚分の広告画像データが選択されてもよい。
【００９１】
また上記第１の変形例によれば、排紙処理部５９の整合機構は、ステープル針の使用が不可能になった場合に、原稿画像が形成された記録用紙と広告画像が形成された記録用紙とを整合する。これによって、原稿画像が形成された記録用紙と広告画像が形成された記録用紙とが連結されていない場合であっても、ユーザによって、原稿画像が形成された記録用紙とともに広告画像が形成された記録用紙を取得してもらいやすくなる。したがって、ユーザによって原稿画像が形成された記録用紙のみが取得され、広告画像が形成された記録用紙が放置されてしまうことを防ぐことができるので、充分な広告効果を得ることができる。
【００９２】
また上記第２の変形例によれば、制御部５０は、ステープル針の使用が不可能になった場合に、原稿画像のサイズの２倍のサイズの記録用紙を出力対象の記録用紙として選択し、画像形成部５８は、選択後の記録用紙に、原稿画像及び広告画像を並んだ状態で形成する。このように、原稿画像のサイズの２倍のサイズの記録用紙に、原稿画像及び広告画像が並んだ状態で形成されるので、ユーザによって、原稿画像とともに広告画像を確実に取得してもらうことができる。したがって、充分な広告効果を確実に得ることができる。また、ユーザは、原稿画像と広告画像とを切り離すという手作業によって、所望の原稿画像のみを容易に取得することができる。したがって、ユーザの利便性がさらに向上する。
【００９３】
なお、変更後のサイズは、原稿画像のサイズの２倍に限定されず、原稿画像のサイズと広告画像のサイズとを組合せたサイズ以上であればよい。
【００９４】
また上記第３の変形例によれば、原稿画像が形成された複数の記録用紙及び広告画像が形成された複数の記録用紙がそれぞれ連続して重ねた状態で提供されるので、原稿画像が形成された記録用紙と広告画像が形成された記録用紙とを分別する手間を省くことができる。したがって、ユーザの利便性がより一層向上する。また、広告画像が形成された複数の記録用紙は、ステープル針の先端側に位置するように配置されるので、ユーザは、連結された複数の記録用紙から、広告画像が形成された複数の記録用紙のみをステープル針を緩めるという手作業によって容易に取り外すことができるようになる。これによって、ユーザは、原稿画像が形成された複数の記録用紙のみが連結された用紙束を得ることができる。したがって、ユーザの利便性がさらに向上する。
【００９５】
また上記実施の形態及びその変形例によれば、広告画像データは広告サービスが指示される度に広告サーバ９９から取得されたが、本発明はそのような実施の形態に限定されない。例えば、予め広告サーバ９９から複数の広告画像データを取得しておき、画像形成装置２２のＨＤＤ５２に記憶しておき、広告サービスが指示される度にＨＤＤ５２から広告画像データを取得してもよい。
【００９６】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００９７】
２２  画像形成装置
５０  制御部
５２  ＨＤＤ
５４  操作部
５５  スキャナ部
５６  画像処理部
５７  画像メモリ
５８  画像形成部
５９  排紙処理部
９９  広告サーバ
【図１】
2011207030.tif 000003
【図２】
2011207030.tif 000004
【図３】
2011207030.tif 000005
【図４（Ａ）】
2011207030.tif 000006
【図４（Ｂ）】
2011207030.tif 000007
【図５】
2011207030.tif 000008
【図６】
2011207030.tif 000009
【図７】
2011207030.tif 000010
【図８】
2011207030.tif 000011
【図９（Ａ）】
2011207030.tif 000012
【図９（Ｂ）】
2011207030.tif 000013
【図９（Ｃ）】
2011207030.tif 000014
【図１０（Ａ）】
2011207030.tif 000015
【図１０（Ｂ）】
2011207030.tif 000016